(57)【特許請求の範囲】
【請求項１】
電動送風機を内蔵する送風機室及び集塵室を有する掃除機本体と、該掃除機本体に設けられ、前記電動送風機を制御する制御部品及び運転状態を表示する表示手段を装着した制御基板を収納する収納室と、該収納室を被い、表示部を有するカバー体と、該カバー体の表示部に収納室に連通して穿設され、電動送風機や制御基板のばらつきに応じて制御部品を調整する治具を挿入する治具挿入用開口と、前記カバー体の表示部に収納室に連通して穿設され、前記表示手段に対向する表示用開口と、前記本体ケース底面に設けられた前車輪及び後車輪とを備え、前記治具挿入用開口を、前車輪と後車輪を結ぶ空間内に位置させると共に、前記表示部に表示手段の表示内容等を記載した表示パネルを貼着し、表示パネルにて治具挿入用開口及び表示用開口を被ったことを特徴とする電気掃除機。
【発明の詳細な説明】
【０００１】
【産業上の利用分野】
本発明は、電動送風機の出力制御を行う電気掃除機に関する。
【０００２】
【従来の技術】
従来、この種電気掃除機は、掃除機本体の吸込口に、可撓性ホース及び延長管を介して床用吸込具を接続し、可撓性ホースの手元操作部に設けた制御スイッチを操作し、制御スイッチの出力に基づいて掃除機本体に内蔵した電動送風機を制御し、吸込力を掃除場所に応じて調整するようになっている。
【０００３】
しかしながら、制御基板は、その制御部品のばらつきによって出力にばらつきが生じ、同じ電動送風機を用いても制御基板によって吸込力が異なり、また、電動送風機のばらつきもあいまって掃除機本体によって吸込力が異なる問題があった。
【０００４】
【発明が解決しようとする課題】
本発明は、上記欠点に鑑みなされたもので、品質の安定した製品を製造し得る電気掃除機を提供することを課題とする。
【０００５】
【課題を解決するための手段】
本発明の第１の手段は、電動送風機を内蔵する送風機室及び集塵室を有する掃除機本体と、該掃除機本体に設けられ、前記電動送風機を制御する制御部品及び運転状態を表示する表示手段を装着した制御基板を収納する収納室と、該収納室を被い、表示部を有するカバー体と、該カバー体の表示部に収納室に連通して穿設され、電動送風機や制御基板のばらつきに応じて制御部品を調整する治具を挿入する治具挿入用開口と、前記カバー体の表示部に収納室に連通して穿設され、前記表示手段に対向する表示用開口と、前記本体ケース底面に設けられた前車輪及び後車輪とを備え、前記治具挿入用開口を、前車輪と後車輪を結ぶ空間内に位置させると共に、前記表示部に表示手段の表示内容等を記載した表示パネルを貼着し、表示パネルにて治具挿入用開口及び表示用開口を被ったことを特徴とする。
【０００９】
【作用】
本発明の第１の手段によれば、掃除機本体組立後、入力電力及び吸込特性等を測定し、その値があらかじめ設定した範囲に入っていない場合、治具挿入用開口から治具を挿入し、制御部品を調整して入力電力及び吸込特性等を設定値の範囲に調整し、治具挿入用開口を表示パネルにて被い、治具挿入用開口から収納室内にゴミ等が侵入するのを防止する。治具挿入用開口は、前車輪と後車輪とを結ぶ空間内に位置させているので、治具挿入用開口を介して制御部品を調整する際、掃除機本体ががたつくことなく、安定した状態で調整作業を行える。
【００１３】
【実施例】
本発明の一実施例を図面に基づいて以下に詳述する。
【００１４】
１は下ケースで、隔壁２により内部を前後に区画し、前方空間を集塵室３としている。４は前記下ケース１の後方空間を被う上ケースで、前記下ケース１と上ケース４にて囲まれる空間を左右に区画し、一方を、電動送風機５を収納する送風機室６、他方を、図示しないコードリールを収納するコードリール室としている。７は前記下ケース１下面前方中央部に垂下形成された軸で、前車輪８を回転自在に支持する回転支持部９を回転自在に支持するようになっている。10は前記下ケース１側面後方両側面から突設した図示しない軸に回転自在に軸支された後車輪である。
【００１５】
11は前記上ケース４上面の略中央部に凹設された収納室で、前方に後述するトライアック26の放熱板27が挿入される開口12を有すると共に、その後方に後述する制御基板23が固定される複数のリブ13を突設している。14は前記収納室11に設けられた支持部で、後述する蓋体28の支軸を回動自在に軸支するようになっている。
【００１６】
15は前記収納室11を被うカバー体で、後述する表示パネル22が貼着される表示部16が凹設されている。前記表示部16には、後述する制御基板23を収納室11に装着した状態で、制御基板23のＬＥＤ25に対向する表示用開口17と、制御基板23の可変抵抗器24ａに対向する治具挿入用開口18とを穿設している。前記治具挿入用開口18は、前記下カバー１に形成した前車輪８を支持する軸７と後車輪10を支持する図示しない軸とを結ぶ三角形状の空間内に配置しており、さらに、回転支持部９が下カバー１から垂設した軸７に対してどの方向に向いていた場合でも、前記前車輪８と後車輪10の接地点を結ぶ三角形状の空間内に位置するように形成している。19は前記カバー体15の表示部16に隣接して形成された開口部で、コード巻取用ボタン20が開口部19を介して外部に臨むようになっている。21は前記カバー体15の上ケース４の支持部14と対向する位置に形成した支持部で、上ケース４の支持部14との間で後述する蓋体28の支軸を回動自在に軸支している。
【００１７】
22は前記カバー体15の表示部16に貼着される表示パネルで、前記表示用開口17を被う位置を透明、もしくは半透明に形成し、後述する制御基板23のＬＥＤ25の光を透過して運転状態、あるいは吸引塵埃量等を表示すると共に、その表示内容を示す記号、図案、文字等が適宜記載されている。
【００１８】
23は前記収納室11に配置され、リブ13にネジ固定される制御基板で、前記電動送風機５の回転数を制御する制御部品24及び制御部品24によって点灯制御される表示手段である複数のＬＥＤ25が装着されている。前記制御部品24には、調整手段となる可変抵抗器24ａが含まれており、可変抵抗器24ａによって各制御部品24のばらつきによる出力値のばらつきを調整するようになっている。
【００１９】
26は前記収納室11に収納されるトライアックで、略Ｌ字状に形成された放熱板27に固定されている。前記放熱板27は短辺を上ケース４に固定すると共に、トライアック26を長辺に固定し、その長辺を、上ケース４を貫通させて電動送風機５吸込側に位置させており、トライアック26を放熱板27の長辺に固定しているので、放熱板27の短辺にトライアック26を固定する従来と比し、トライアック26と放熱板27の放熱位置との距離が近接し、トライアック26の放熱効果が向上する。
【００２０】
28は前記集塵室３を閉塞する蓋体で、前記下ケース１、上ケース４、カバー体15及び蓋体28により掃除機本体29を構成している。前記蓋体28には、後方に向かって略Ｌ字状の一対のアームを突設し、該アームに形成した支軸を、上ケース４の支持部14とカバー体15の支持部21との間で回転自在に軸支するようになっている。
【００２１】
30は前記下ケース１前面に形成された吸込口で、集塵室３に連通し、図示しない可撓性ホース一端側の接続部が着脱自在に接続されるようになっている。可撓性ホースの他端側には制御スイッチを有する手元操作部が形成され、接続部と手元操作部との間に介在するホースには導電線が巻回されており、導電線の一端を接続部のコネクタに、導電線の他端を手元操作部のコネクタに接続し、可撓性ホースを吸込口30に接続することにより、接続部のコネクタを吸込口30に設けた図示しないコネクタに電気的に接続して手元操作部の制御スイッチと掃除機本体29の制御基板23とを電気的に接続するようになっている。
【００２２】
次に、組立方法を説明すると、下ケース１の送風機室６に電動送風機５を収納すると共に、コードリール室にコードリールを収納し、上ケース４にて下ケース１の後方を被う。上ケース４の収納室11に、制御基板23を固定し、制御基板23と電動送風機５等を電気的に接続すると共に、収納室11の開口12に放熱板27を挿入して固定する。そして、集塵室３を被うように蓋体28を下ケース１に載置し、上ケース４にカバー体15を装着して収納室11を閉塞すると共に、上ケース４の支持部14とカバー体15の支持部21との間に蓋体28の支軸を回動自在に支持する。
【００２３】
この状態で、掃除機本体29を電源に接続して電動送風機５を駆動し、入力電力及び吸込特性を計測し、その計測結果によって、カバー体15に形成した治具挿入用開口18から治具、本実施例ではドライバーを挿入して制御基板23の可変抵抗器24ａを調整し、入力電力及び吸込特性があらかじめ設定した基準範囲内に入るように調整する。
【００２４】
治具挿入用開口18は、下カバー１に形成した前車輪８を支持する軸７と後車輪10を支持する図示しない軸とを結ぶ三角形状の空間内に配置しており、さらに、回転支持部９が下カバー１から垂設した軸７に対してどの方向に向いていた場合でも、前車輪８と後車輪10の接地点を結ぶ三角形状の空間内に位置するように形成しているので、掃除機本体29ががたつくことがなく、安定した状態で調整作業を行うことができる。
【００２５】
この調整終了後、カバー体15の表示部16に表示パネル22を貼着してカバー体15の表示用開口17及び調整用開口18を閉塞し、ゴミ等の収納室11内への侵入を防止する。
【００２６】
【発明の効果】
本発明の請求項１の構成によれば、制御基板に装着した制御部品や電動送風機等の品質のばらつきによる不良を、製品を分解することなく容易に調整することができ、制御部品や電動送風機の品質のばらつきに係わりなく、安定した品質の製品を提供することができると共に、制御回路を調整するための治具挿入用開口を、表示パネルを兼用して閉塞することができ、簡単な構成で、部品点数を増大させることなく、制御回路へのゴミ等の付着を防止することができる。また、治具挿入用開口を、前車輪と後車輪とを結ぶ空間内に位置させているので、調整作業時、掃除機本体ががたつくことなく、安定した状態で調整作業を行うことができ、作業性を向上することができる等の効果を奏する。
【図面の簡単な説明】
【図１】本発明の一実施例を示す要部拡大断面図である。
【図２】同掃除機本体の縦断面図である。
【図３】同制御基板を装着した状態の上ケースの上面図である。
【図４】同制御基板を取り外した状態の上ケースの上面図である。
【図５】同カバー体の上面図である。
【図６】同表示パネルを取り外した状態の掃除機本体の上面図である。
【図７】同表示パネルを貼着した状態の掃除機本体の上面図である。
【符号の説明】
３          集塵室
５          電動送風機
６          送風機室
８          前車輪
10          後車輪
11          収納室
16          表示部
17          表示用開口
18          治具挿入用開口
22          表示パネル
23          制御基板
24          制御部品
24ａ        可変抵抗器
25          ＬＥＤ
29          掃除機本体
【図１】
0003691111.tif 000002
【図２】
0003691111.tif 000003
【図３】
0003691111.tif 000004
【図４】
0003691111.tif 000005
【図５】
0003691111.tif 000006
【図６】
0003691111.tif 000007
【図７】
0003691111.tif 000008